(57)【要約】【課題】  エアコン本体の取付作業の容易化、エア吹出口での結露防止。【解決手段】  エアコン本体５がかご１の床下に取り付けられるが、かご床下にはエレベータに制御に関する用品はあまり設置されておらず、広い作業スペースを確保できるので取付作業を容易に行うことができる。また、最上階におけるかごのトップクリアランスを考慮する必要はない。そして、エア吹出口９が形成されたダクト部材８は樹脂製であるため結露が発生し難く、更にかご１室内の床面側に配設されているため、結露が発生したとしても照明器具の短絡故障を考慮する必要がない。【選択図】  図１
2005263352.tif 000002
【特許請求の範囲】
【請求項１】
エレベータかごの床下にエアコン本体を取り付けると共に、エア吹出口が形成された樹脂製のダクト部材をかご室内の床面側に配設し、前記エアコン本体から送り出されるエアを前記エア吹出口からかご室内に吹き出すようにした、
ことを特徴とするエレベータかごのエアコン取付構造。
【請求項２】
前記ダクト部材の下端部は、エレベータかご床面に形成されたエア通過孔に取り付けられており、前記エアコン本体から送り出されるエアは、このエア通過孔を通って前記エア吹出口に導かれる、
ことを特徴とする請求項１記載のエレベータかごのエアコン取付構造。
【請求項３】
前記ダクト部材は、
前記エレベータかごの室内パネル面にネジ部材で取り付けられた取付部材と、
前記エア吹出口が形成され、前記取付部材に支持されたカバー部材と、
から構成されるものである、
ことを特徴とする請求項１又は２記載のエレベータかごのエアコン取付構造。
【請求項４】
前記ネジ部材は、前記室内パネル面に対する取付部材の取付作業を室内側から行うことが可能なものである、
ことを特徴とする請求項３記載のエレベータかごのエアコン取付構造。
【請求項５】
前記ダクト部材は、前記かご室内のコーナー部に配設され、且つ前記取付部材が互いに隣接する一方の前記室内パネル面及び他方の前記室内パネル面に取り付けられるものである、
ことを特徴とする請求項３又は４記載のエレベータかごのエアコン取付構造。
【請求項６】
前記ダクト部材は、２セット分が一体的に組み合わされ、且つかご室内のコーナー部以外の平坦面に取り付けられたものである、
ことを特徴とする請求項３又は４記載のエレベータかごのエアコン取付構造。
【請求項７】
前記室内パネル面に形成された前記ネジ部材挿通用の取付孔は、前記ダクト部材が除去された場合に、カバー板を化粧ネジにより取り付けることにより覆われる、
ことを特徴とする３乃至６のいずれかに記載のエレベータかごのエアコン取付構造。
【請求項８】
前記ダクト部材の上端面には、インテリア用品を載置するのに充分なスペースが形成されている、
ことを特徴とする１乃至７のいずれかに記載のエレベータかごのエアコン取付構造。
【発明の詳細な説明】
【技術分野】
【０００１】
本発明は、エレベータかごのエアコン取付構造に関するものである。
【背景技術】
【０００２】
エレベータはビル内を昇降動する所謂「縦の交通手段」であり、不特定多数の人が利用する公共性の高い設備である。したがって、このような公共性の高い設備であるが故にエレベータかご室内に対しては快適空間の実現が要請される。快適空間実現のためには室内空調が不可欠であり、エレベータかごにエアコンを取り付ける必要がある。そして、従来は、例えば特許文献１に開示されているように、通常はエレベータかごの天井側（外側上部）にエアコン本体が取り付けられていた。なお、本明細書において「エアコン」とは、冷房及び暖房の両機能を備えたものの他に、冷房専用機も含むものとする。
【特許文献１】特開平９−２５０７５号公報
【発明の開示】
【発明が解決しようとする課題】
【０００３】
しかし、エアコン本体をエレベータかごの外側上部に取り付ける構造は次のような課題を有するものであった。
【０００４】
（１）かごの外側上部にはエレベータ制御に関する用品が多数設置されており、エアコン本体の取付に確保できるスペースが少ないために、取付作業を容易に行うことができないのが通常である。そして、かごの外側上部までエアコン本体を持ち上げて取付を行う際は、作業スペースが狭いために、かなりの重量物であるエアコン本体を落下させてしまう虞があり、危険性も増大することになる。
【０００５】
（２）近年はビルの屋上に機械室を設置する必要のない、所謂「機械室レス」タイプのエレベータシステムが広汎に普及している。このような「機械室レス」タイプのエレベータシステムでは、最上階におけるかごのトップクリアランス（頂部隙間）が小さくなっており、ビル内の昇降路の仕様如何によってはエアコン本体をかごの外側上部に取り付けることができない場合も生じる。
【０００６】
（３）エアコン本体をエレベータかごの外側上部に取り付ける構造では、かご室内の天井面から冷気又は暖気を吹き出すことになるが、この天井面付近には室温との温度差から結露が発生することがある。そして、この結露によって天井面付近に配設されている照明器具に短絡故障が発生する虞がある。特に、冷気又は暖気のエア吹出口が金属製の場合には、この結露発生の可能性は非常に大きくなる。また、かご室内の照明方式として間接照明を採用している場合、冷気又は暖気は複雑な径路をたどって室内に送り出されるため、照明器具の短絡故障ばかりか、冷房能力又は暖房能力の低下を招く虞もある。
【課題を解決するための手段】
【０００７】
上記課題を解決するための手段として、請求項１記載の発明は、エレベータかごの床下にエアコン本体を取り付けると共に、エア吹出口が形成された樹脂製のダクト部材をかご室内の床面側に配設し、前記エアコン本体から送り出されるエアを前記エア吹出口からかご室内に吹き出すようにした、ことを特徴とする。
【０００８】
請求項２記載の発明は、請求項１記載の発明において、前記ダクト部材の下端部は、エレベータかご床面に形成されたエア通過孔に取り付けられており、前記エアコン本体から送り出されるエアは、このエア通過孔を通って前記エア吹出口に導かれる、ことを特徴とする。
【０００９】
請求項３記載の発明は、請求項１又は２記載の発明において、前記ダクト部材は、前記エレベータかごの室内パネル面にネジ部材で取り付けられた取付部材と、前記エア吹出口が形成され、前記取付部材に支持されたカバー部材と、から構成されるものである、ことを特徴とする。
【００１０】
請求項４記載の発明は、請求項３記載の発明において、前記ネジ部材は、前記室内パネル面に対する取付部材の取付作業を室内側から行うことが可能なものである、ことを特徴とする。
【００１１】
請求項５記載の発明は、請求項３又は４記載の発明において、前記ダクト部材は、前記かご室内のコーナー部に配設され、且つ前記取付部材が互いに隣接する一方の前記室内パネル面及び他方の前記室内パネル面に取り付けられるものである、ことを特徴とする請求項３又は４記載のエレベータかごのエアコン取付構造。
【００１２】
請求項６記載の発明は、請求項３又は４記載の発明において、前記ダクト部材は、２セット分が一体的に組み合わされ、且つかご室内のコーナー部以外の平坦面に取り付けられたものである、ことを特徴とする。
【００１３】
請求項７記載の発明は、請求項３乃至６のいずれかに記載の発明において、前記室内パネル面に形成された前記ネジ部材挿通用の取付孔は、前記ダクト部材が除去された場合に、カバー板を化粧ネジにより取り付けることにより覆われる、ことを特徴とする。
【００１４】
請求項８記載の発明は、請求項１乃至７のいずれかに記載の発明において、前記ダクト部材の上端面には、インテリア用品を載置するのに充分なスペースが形成されている、ことを特徴とする。
【発明の効果】
【００１５】
本発明によれば、エアコン本体がかご床下に取り付けられるが、かご床下にはエレベータに制御に関する用品はあまり設置されておらず、広い作業スペースを確保できるので取付作業を容易に行うことができる。また、最上階におけるかごのトップクリアランスを考慮する必要はない。そして、エア吹出口が形成されたダクト部材は樹脂製であるため結露が発生し難く、更にかご室内の床面側に配設されているため、結露が発生したとしても照明器具の短絡故障を考慮する必要がない。
【発明を実施するための最良の形態】
【００１６】
図１は、本発明の実施形態に係るエアコン取付構造の説明図である。かご１の上部及び下部は、それぞれかご枠上梁２及びかご枠下梁３に固着されている。そして、かご枠下梁３の下面側にアングル部材４が固着され、このアングル部材４にエアコン本体５が取り付けられている。
【００１７】
エアコン本体５のエア送出口にはフレキシブルダクト６の一端側が接続されており、フレキシブルダクト６の他端側はかご床面に形成されたエア通過孔７に取り付けられている。エア通過孔７の上方には、エア吹出口９が形成された樹脂（例えばアクリル）製のダクト部材８が配設されている。このダクト部材８は、かご１室内のドア１０の反対側位置であって背面パネル１１及び側面パネル１２により形成されるコーナー部に配設されている。
【００１８】
図２は、ダクト部材８の詳細な構成を示す図１のII-II矢視図である。ダクト部材８は、断面形状が略Ｌ字形の取付部材１３と、断面形状が４分の１の円弧となっているカバー部材１４とから構成されている。取付部材１３の端部には支持座１３ａが形成されており、カバー部材１４の端部はこの支持座１３ａに嵌合して固着されている。
【００１９】
そして、取付部材１３は背面パネル１１及び側面パネル１２に取付ネジ１５により取り付けられている。この取付ネジ１５はポップナット１６を有するものであるため、作業員はかご１の室内側から締め付け作業を行うことができる。また、取付部材１３の取付孔付近には凹部１３ｂが形成されており、これにより充分な締め付け力が得られるようになっている。
【００２０】
上記のようなエアコン取付構造によれば、エアコン本体５がかご１の床下側に取り付けられているが、床下側には天井側と違ってあまりエレベータ制御に関する用品が設置されていないため、広い作業スペースを確保することができ作業が容易となる。また、天井側のような高い位置にエアコン本体５を持ち上げる必要がなくなるので、エアコン本体５の落下による危険性は大きく低減される。更に、この取付作業は昇降路内下部のピットで行うことができるので、取付作業を一層容易に行うことができる。
【００２１】
そして、最上階におけるかご１のトップクリアランスを考慮する必要はない。そして、エア吹出口９が形成されたダクト部材８は樹脂製であるため結露が発生し難く、更にかご１室内の床面側に配設されているため、結露が発生したとしても照明器具の短絡故障を考慮する必要がない。
【００２２】
図３は、本発明の他の実施形態に係るエアコン取付構造の要部についての説明図である。この実施形態は、先の実施形態におけるダクト部材８を２セット分だけ一体的に組み合わせ、全体の断面形状を半円状にしたものである。したがって、先の実施形態では１セットのダクト部材８をかご１のコーナー部に取り付けていたが、この実施形態ではコーナー部ではなく平坦な側面パネル１２上（背面パネル１１上でも可）に取り付けている。なお、取付部材１３，１３同士を締め付ける取付ネジ１５はポップナット１６付きのものを用いる必要はなく、通常のナット１７でよい。
【００２３】
このように、２セットのダクト部材８を一体的に組み合わせることにより、エアコン本体５から送られてくるエア通過路の面積を容易に２倍に拡大することができる。したがって、エレベータの仕様を決定する際には、図２又は図３のうちのいずれを選択するかによりエア通過路の面積を増減することができ、設計自由度を増すことができる。しかも、この場合、ダクト部材８は全く同一のものであり、単に使用数のみが異なるだけであるので製造上の負担も軽減される。
【００２４】
ところで、エアコンが冷房専用機の場合、冬季にはかご１室内からダクト部材８を除去し、室内スペースを有効に利用することが好ましい。この場合、エア通過孔７を適当な部材で閉塞するのは勿論であるが、背面パネル１１又は側面パネル１２に形成されている取付ネジ１５用の孔部も室内美観上の観点から覆っておくのが好ましい。
【００２５】
図４は、このような孔部を覆う構造を示す断面図である。すなわち、ダクト部材８が取り除かれた後、取付部材１３用の孔部を覆うためのカバー板１８が側面パネル１２（又は背面パネル１１）に当てられ、ポップナット１６を有する化粧ネジ１９でカバー板１８が取り付けられている。この場合の化粧ネジ１９の締め付け作業も、取付部材１３に対する取付ネジ１５の締め付け作業と同様に、室内側から行うことができる。
【００２６】
なお、図１に示したように、ダクト部材８の上端部には平坦面８ａが形成されている。したがって、この平坦面８ａを有効活用し、人形や置物等のインテリア用品を置くことができる。但し、この場合かご１内に居る乗客が接触しても簡単に落下しないように適当な方法でこのインテリア用品を平坦面８ａに確実に固定しておくことが好ましい。
【図面の簡単な説明】
【００２７】
【図１】本発明の実施形態に係るエアコン取付構造の説明図。
【図２】ダクト部材８の詳細な構成を示す図１のII-II矢視図。
【図３】本発明の他の実施形態に係るエアコン取付構造の要部についての説明図。
【図４】かご１室内からダクト部材８を除去した後の取付ネジ１５用の孔部を覆う構造を示す断面図。
【符号の説明】
【００２８】
１  かご
２  かご枠上梁
３  かご枠下梁
４  アングル部材
５  エアコン本体
６  フレキシブルダクト
７  エア通過孔
８  ダクト部材
８ａ  平坦面
９  エア吹出口
１０  ドア１
１１  背面パネル
１２  側面パネル
１３  取付部材
１３ａ  支持座
１３ｂ  凹部
１４  カバー部材
１５  取付ネジ
１６  ポップナット
１７  ナット
１８  カバー板
１９  化粧ネジ
【図１】
2005263352.tif 000003
【図２】
2005263352.tif 000004
【図３】
2005263352.tif 000005
【図４】
2005263352.tif 000006